(57)【要約】【課題】  テレビ電話通信において、通話相手方から画像が送信されてこないことがあっても、その理由が画像受信側では不明であり、それを簡単に相手（画像受信側、通話相手方）に知らせ得るようにする。【解決手段】  画像送信側のテレビ電話機１の表示装置３に画像を送信しない理由をいくつか表示し、その理由の中から一つを選んで、相手方（テレビ電話機１１）に通知する。【代表図】  図１【特許請求の範囲】
【請求項１】
通話機能及びデータ通信機能を持つ通信装置において、
画像情報を通話相手側に送信しない理由情報を記憶する記憶手段と、
前記理由情報を前記記憶手段から読み出す制御部と、
読み出された該理由情報を通話相手側へ送信する通信部と、
を具備する電話端末。
【請求項２】
表示装置を具備する、請求項１記載の電話端末。
【請求項３】
前記記憶手段が記憶する理由情報は１つ以上の理由であり、
前記制御部は、前記記憶手段から読み出した１つ以上の理由情報を表示装置に表示させるものであり、
表示された該理由情報のうち、どれかを通話相手側に送信することを選択する信号を前記制御部に出力する入力部を備え、
前記制御部は、前記入力部で選択された理由情報を前記通信部へ出力する構成である、請求項２記載の電話端末。
【請求項４】
前記通信部は、画像情報が自分側に送信されて来ない理由情報を通話相手側から受信するものであり、
前記制御部は、受信した該理由情報を表示装置に表示させる構成である、請求項２記載または請求項３記載の電話端末。
【請求項５】
通話機能及びデータ通信機能を持つ通信装置において、
画像情報が自分側に送信されて来ない理由情報を通話相手側から受信する通信部と、
受信した理由情報を表示する表示装置と、
受信した該理由情報を前記表示装置に表示させる制御部と、
を具備する電話端末。
【請求項６】
撮像手段を具備する、もしくは撮像手段を装備し得る構成である、請求項１記載、請求項２記載、請求項３記載、請求項４記載または請求項５記載の電話端末。
【請求項７】
前記電話端末と通話相手側の通信装置との通話は、ＩＰ通信網を介してである、請求項１記載、請求項２記載、請求項３記載、請求項４記載、請求項５記載または請求項６記載の電話端末。
【請求項８】
前記電話端末は、固定電話機もしくは携帯電話機である、請求項１記載、請求項２記載、請求項３記載、請求項４記載、請求項５記載、請求項６記載または請求項７記載の電話端末。
【発明の詳細な説明】
【技術分野】
【０００１】  本発明は、通話相手側の通信端末または自分側の通信端末の少なくとも一方が表示装置を具備する場合の通話に好適な電話端末に係り、特には通話相手側の通信端末または自分側の通信端末の少なくとも一方もしくは両方がテレビ電話機能を持つときの通話に好適な電話端末に関する。
【背景技術】
【０００２】  テレビ電話による通信においては、リアルタイムの送信側の実画像を通話相手方（画像の受信側）に送信しない技術が知られている。例えば、特開平１０−９８７０２号公報、特開平２００１−３０９３２５号公報などに、そのようなテレビ電話技術が開示されている。
しかし、画像の受信側のテレビ電話機では、相手側の画像が自分の表示装置に表示されないと、不審に思うことがあり、ときに機器や相手に不信感を抱くことすらある、という問題点があった。
また、通話相手側（画像の送信側）の画像が自分の側（画像の受信側）で表示されないとき、画像の受信側では、なぜ画像を送信して来ないのか、通話相手に聞くことが憚られる場合もあるし、画像の送信側では、それを聞かれても言いたくない、言いくい場合もあった。
【特許文献１】  特開平１０−９８７０２号公報
【特許文献２】  特開２００１−３０９３２５号公報
【発明の開示】
【発明が解決しようとする課題】
【０００３】  本発明に係る電話端末は、従来の技術が有する上記問題点に鑑み成されたもので、次の課題を解決することを目的とする。
通話相手側の画像が自分の側で表示されないとき、画像の受信側では、なぜ画像を送信しないのか、通話相手に聞かなくてもその理由が分かり、画像の送信側では、それを言わなくても通話相手にその理由を伝えられる電話端末を提供する。
【課題を解決するための手段】
【０００４】  上記課題を解決するための本発明の第１発明は、請求項１に記載されたとおりの電話端末であり、次のようなものである。
通話機能及びデータ通信機能を持つ通信装置において、画像情報を通話相手側に送信しない理由情報を記憶する記憶手段と、前記理由情報を前記記憶手段から読み出す制御部と、読み出された該理由情報を通話相手側へ送信する通信部と、を含む構成である。
上記課題を解決するための本発明の第２発明は、請求項２に記載されたとおりの電話端末であり、次のようなものである。
請求項１記載の電話端末において、表示装置を具備することを特徴とする。
上記課題を解決するための本発明の第３発明は、請求項３に記載されたとおりの電話端末であり、次のようなものである。
請求項２記載の電話端末において、前記記憶手段が記憶する理由情報は１つ以上の理由であり、前記制御部は、前記記憶手段から読み出した１つ以上の理由情報を表示装置に表示させるものであり、表示された該理由情報のうち、どれかを通話相手側に送信することを選択する信号を前記制御部に出力する入力部を備え、前記制御部は、前記入力部で選択された理由情報を前記通信部へ出力する構成である。
上記課題を解決するための本発明の第４発明は、請求項４に記載されたとおりの電話端末であり、次のようなものである。
請求項２記載または請求項３記載の電話端末において、前記通信部は、画像情報が自分側に送信されて来ない理由情報を通話相手側から受信するものであり、前記制御部は、受信した該理由情報を表示装置に表示させる構成である。
上記課題を解決するための本発明の第５発明は、請求項５に記載されたとおりの電話端末であり、次のようなものである。
通話機能及びデータ通信機能を持つ通信装置において、画像情報が自分側に送信されて来ない理由情報を通話相手側から受信する通信部と、受信した理由情報を表示する表示装置と、受信した該理由情報を前記表示装置に表示させる制御部と、を含むものである。
上記課題を解決するための本発明の第６発明は、請求項６に記載されたとおりの電話端末であり、次のようなものである。
請求項１記載、請求項２記載、請求項３記載、請求項４記載または請求項５記載の電話端末において、撮像手段を具備する、もしくは撮像手段を装備し得る構成である。
上記課題を解決するための本発明の第７発明は、請求項７に記載されたとおりの電話端末であり、次のようなものである。
請求項１記載、請求項２記載、請求項３記載、請求項４記載、請求項５記載または請求項６記載の電話端末において、前記電話端末と通話相手側の通信装置との通話は、ＩＰ通信網を介して行なうものである。
上記課題を解決するための本発明の第８発明は、請求項８に記載されたとおりの電話端末であり、次のようなものである。
請求項１記載、請求項２記載、請求項３記載、請求項４記載、請求項５記載、請求項６記載または請求項７記載の電話端末において、前記電話端末は、固定電話機もしくは携帯電話機であるものである。
【発明の効果】
【０００５】  本発明に係る電話端末は、以上説明したような構成であるので、以下に記載する効果を奏する。
自分側の画像を送信しない少なくとも１つの理由情報、望ましくは幾つかの理由情報を予め用意しておき（記憶しておき）、通話相手にその情報を知らせることができるので、画像の受信側では、画像を送信して来ない理由を通話相手に聞く必要がない。
また、画像の送信側では、画像を送信しない理由を通話相手に言わなくても済むし、通話相手に聞かれる可能性も低い。
特にテレビ電話機同士の通話でありながら、通話相手から画像が送信されて来なくても不審感や不信感を和らげる効果がある。また、画像の送信側にしてみれば、自分側の画像を送信しない理由を通話相手に言わなくてもいいので、説明の手間が省けて面倒がなく、便利でもある。
【発明を実施するための最良の形態】
【０００６】  本発明を実施する通信装置は、通話機能を有している必要がある。しかし、必ずしも固定型のもしくは携帯型のテレビ電話機である必要はない。例えば、通信回線に接続したパーソナルコンピュータなどの通信端末にハンドセットやヘッドセット、もしくは送受話手段としてのマイクロフォン及びスピーカを設けたものでもよい。また、本発明を実施する電話端末と、その通話相手方の通信装置との間の通信路（通信網）は、任意である。前記通話路は、固定電話網（回線）でもよく、携帯電話網（回線）でもよく、それらが混在していてもよい。また、前記通話路は、インターネットなどのＩＰ通信網（回線）でもよく、電話綱とＩＰ通信網が混在していてもよい。
さらにまた、本発明に係る画像情報を送信しない理由を送信する側として使う電話端末は、表示装置を具備していることが望ましいけれど、それがなくても実施可能である。但し、本発明の電話端末が画像を送信あいない理由を受信する側となる場合は、受信する理由情報を表示するための表示装置を具備している必要がある。
また、本発明に係る電話端末は、撮像手段を具備していなくてもよく、具備していてもよい。
以下、撮像手段を装備し得るテレビ電話機を例として、本発明を実施するための最良の形態を説明する。上述したように、このテレビ電話機は、固定電話機（有線電話機）でも携帯電話機（移動電話機ないし無線電話機）のどちらでもよい。【０００７】  図１は、本発明に係る電話端末の実施の一形態を示すブロック図である。
図１は、テレビ電話機１が画像情報の送信側となる場合について示している。
テレビ電話機１は、撮像手段としてカメラ２を具備している。このカメラ２は、着脱可能な構成のものでもよく、カメラ２をテレビ電話機１に装着していない構成でも本発明は実施可能である。テレビ電話機１の送受話器９には、従来から使われているものを装備させればよく、例えばハンドセットなどを搭載する。
通信網１０を介して通話相手方（画像受信側）のテレビ電話機１１と画像送信側であるテレビ電話機１との間で通話路が形成され、何らかの事情でテレビ電話機１は、カメラ２で撮像する自画像（自分側の画像情報）を、通話相手側であるテレビ電話機１１に送信したくない、できない場合、その理由情報を通信部７から通信網１０へ送出する。テレビ電話機１１は、その理由情報を受信することができるので、なぜ、画像情報が通話相手（テレビ電話機１）の側から送信されて来ないのか、知ることができる。
テレビ電話機１には、少なくとも１つの画像不送信の理由情報（以下、画像情報を送信しない理由のことを理由情報という）は、ＥＥＰＲＯＭなどのメモリ５に予め格納しておくか、通話中にテンキー部８で打込んでメモリ５に格納するか、しておく。
図１では、理由情報は、Ａ〜Ｍまでの１３個（１３種）、メモリ５に格納してあるものとする。もちろん、メモリ５に格納する理由情報は、理由情報Ａ（６ａ）の一種類だけでもよく、テレビ電話機１とテレビ電話機１１との間で通話路が形成されると、制御部４は、メモリ５から理由情報Ａ（６ａ）を読み出して通信部７を介してテレビ電話機１１へ該理由情報Ａ（６ａ）自動送信してもよい。また、理由情報送信のためのボタンを押すと、それを検知した制御部４が理由情報Ａ（６ａ）を、通信部７を介して通信網１０（テレビ電話機１１）へ伝送する構成としてもよい。なお、前記ボタンは、専用のボタン（図示せず）をテレビ電話機１に設けてもよいし、テンキー部８を使ってもよい。【０００８】  メモリ５に格納する理由情報は、１つだけよりも幾つか用意しておくほうが好ましく、そのほうが実用上便利である。テレビ電話機１のユーザが自分側から相手側へ画像情報を送信したくないときは、幾つかの理由情報を表示装置３に表示させ、その中から、通話相手側に送信する理由情報を選択するようにすると便宜である。メモリ５に格納し表示装置３に一旦表示する理由情としては、図１の表示装置３の画面中に示したもの以外に、例えば「今、風呂上がりで裸です」、「通話お断り」、「食事中」、「着替え中」、「お見せするほどの顔じゃありません」など、ユーザないし当業者の要望に応じた情報を格納しておく。通話相手側へ送信する理由情報の選択は、テレビ電話機なら標準的に具備しているテンキー部８（ダイアル入力部）で行なうことができる。【０００９】  図２は、本発明に係る電話端末の別の実施の一形態を示すブロック図である。
図２は、テレビ電話機１１が画像情報の受信側となる場合について示している。
図２で示すテレビ電話機１１は、上記図１で説明した画像情報の送信側となるてテレビ電話機の機能を具備していてもよく、具備していなくてもよい。テレビ電話機が画像情報の送信側となる機能を備える場合の構成と動作とは上記で説明済みであるので、ここではテレビ電話機１１が画像情報の受信側となるときの機能だけを説明する。
テレビ電話機１は、送受話器９を備え、望ましくはカメラ２を具備している。通信部７は、通信網１０を介して通話相手側のテレビ電話機１から理由情報を受信する。すると、制御部４は、その理由情報を表示装置３に表示する。制御部４による理由情報の表示装置３への表示は、自動的に表示してもよいし、テンキー部８で所定のキー操作を行なうと、該理由情報を表示装置３に表示する構成でもよい。なお、通信部７で受信する理由情報は、一旦メモリ５に格納してもよい。
表示装置３には、通話相手側（テレビ電話機１）が画像を送信しない理由、例えば、「カメラ故障中」という旨の文章が表示されるので、テレビ１１電話機のユーザは、画像が送信されて来ない事情を通話相手に聞かなくても済む。
【図面の簡単な説明】
【００１０】
【図１】  図１は、本発明に係る電話端末の実施の一形態を示すブロック図である。
【図２】  図２は、本発明に係る電話端末の別の実施の一形態を示すブロック図である。
【符号の説明】
【００１１】  １、１１  テレビ電話機
２  カメラ
３  表示装置
４  制御部
５  メモリ
６ａ〜６ｍ  理由情報
７  通信部
８  テンキー部
９  送受話器
１０  通信網
【図１】
2005094725.tif 000002
【図２】
2005094725.tif 000003